(57)【要約】【課題】非接触ＩＣカードやアクティブタグ等を用いる認証システムにおいてユーザの利便性を高めることができる読取装置を提供する。【解決手段】ハイブリッドリーダ（読取装置）は、非接触ＩＣカード及びアクティブタグの両方から、それぞれが保持する識別情報を読み取れるように構成される。そして、ハイブリッドリーダは、アクティブタグからの識別情報の読み取りを、非接触ＩＣカードの識別情報の読み取りを行った後であって、再度同じ非接触ＩＣカードからの識別情報の読み取りが行われるまでの間、あるいは所定時間経過するまでの間に行う。読取装置は、その間に読み取ったアクティブタグの識別情報の個数または識別情報が予め定められた個数または識別情報に一致するかを判定し、一致しない場合にエラー通知を行う。【選択図】図９
2010199635.tif 000002
【特許請求の範囲】
【請求項１】
第１の情報を保持し当該第１の情報をＨＦ帯で送信する非接触ＩＣカード及び第２の情報を保持し当該第２の情報をＵＨＦ帯で送信する複数のアクティブタグと通信する読取装置であって、
前記第１の情報を読み取る第１読取手段と、
前記第２の情報を読み取る第２読取手段と、
前記第１読取手段が、前記第１の情報を読み取った後に、当該第１の情報に応じて、前記第２の情報の読み取りに係る処理を実行する処理手段とを備える
ことを特徴とする読取装置。
【請求項２】
前記第１読取手段は、前記非接触ＩＣカードに対して第１の情報を要求する第１要求信号を送信し、当該第１要求信号を受けた非接触ＩＣカードから送信されてくる第１の情報を受信することで前記読み取りを実行し、
前記第２読取手段は、前記アクティブタグに対して第２の情報を要求する第２要求信号を送信し、当該第２要求信号を受けたアクティブタグから送信されてくる第２の情報を受信することで前記読み取りを実行し、
前記処理手段は、前記第１読取手段が前記第１の情報を読み取ったことを契機として、前記第２読取手段に前記第２要求信号の送信を開始させる
ことを特徴とする請求項１記載の読取装置。
【請求項３】
前記処理手段は、前記第１読取手段が前記第１の情報を読み取ってから再度前記第１の情報を読み取った場合に、前記第２読取手段に前記第２要求信号の送信を終了させる
ことを特徴とする請求項２記載の読取装置。
【請求項４】
前記処理手段は、前記第１読取手段が前記第１の情報を読み取ったときから、前記第２読取手段が読み取る第２の情報の個数を計数する
ことを特徴とする請求項３記載の読取装置。
【請求項５】
前記第１の情報は、読み取られるべき第２の情報の個数を示す個数情報を含み、
前記処理手段は、前記第２読取手段が読み取った第２の情報の個数が前記個数情報で示される個数に一致するか否かを判定し、
前記読取装置は、前記処理手段における判定の結果を通知する通知手段を備える
ことを特徴とする請求項４記載の読取装置。
【請求項６】
前記第２の情報は、第２種の記憶媒体それぞれに固有の識別情報であり、
前記第１の情報は、読み取られるべき第２の情報で示される識別情報を含み、
前記処理手段は、前記第２読取手段が読み取った第２の情報で示される識別情報が、前記第１の情報に含まれる識別情報に一致するか否かを判定し、
前記読取装置は、前記処理手段における判定の結果を通知する通知手段を備える
ことを特徴とする請求項３記載の読取装置。
【請求項７】
前記第１の情報は読み取られるべき第２の情報で示される識別情報を複数含み、
前記処理手段は、前記第１の情報に含まれる複数の識別情報で示される第２の情報の中に、前記第２読取手段に読み取られていない第２の情報で示される識別情報があった場合に、読み取られていない第２の情報を前記通知手段に通知させる
ことを特徴とする請求項６記載の読取装置。
【請求項８】
前記処理手段は、前記第１読取手段が前記第１の情報を読み取ったときから、所定時間が経過した場合に、前記第２読取手段に前記第２の情報の読み取りを終了させる
ことを特徴とする請求項２記載の読取装置。
【請求項９】
前記処理手段は、前記第１読取手段が前記第１の情報を読み取ったときから、前記第２読取手段が読み取る第２の情報の個数を計数する
ことを特徴とする請求項８記載の読取装置。
【請求項１０】
前記第１の情報は、読み取られるべき第２の情報の個数を示す個数情報を含み、
前記処理手段は、前記第２読取手段が読み取った第２の情報の個数が前記個数情報で示される個数に一致するか否かを判定し、
前記読取装置は、前記処理手段における判定の結果を通知する通知手段を備える
ことを特徴とする請求項９記載の読取装置。
【請求項１１】
前記第２の情報は、第２種の記憶媒体それぞれに固有の識別情報であり、
前記第１の情報は、読み取られるべき第２の情報で示される識別情報を含み、
前記処理手段は、前記第２読取手段が読み取った第２の情報で示される識別情報が、前記第１の情報に含まれる識別情報に一致するか否かを判定し、
前記読取装置は、前記処理手段における判定の結果を通知する通知手段を備える
ことを特徴とする請求項８記載の読取装置。
【請求項１２】
前記第１の情報は読み取られるべき第２の情報で示される識別情報を複数含み、
前記処理手段は、前記第１の情報に含まれる複数の識別情報で示される第２の情報の中に、前記第２読取手段に読み取られていない第２の情報で示される識別情報があった場合に、読み取られていない第２の情報を前記通知手段に通知させる
ことを特徴とする請求項１１記載の読取装置。
【請求項１３】
アクティブタグと、非接触ＩＣカードと、読取装置を含んで構成される認証システムであって、
前記非接触ＩＣカードは、
第１の情報を保持するメモリと、
前記読取装置から前記第２の情報を要求する第２要求信号を受信した場合にＵＨＦ帯で前記第１の情報を含む応答信号を送信する送信手段とを備え、
前記アクティブタグは、
第２の情報を保持するメモリと、
前記読取装置から前記第１の情報を要求する第１要求信号を受信した場合にＵＨＦ帯で前記第２の情報を含む応答信号を送信する送信手段とを備え、
前記読取装置は、
前記第１の情報を読み取る第１読取手段と、
前記第２の情報を読み取る第２読取手段と、
前記第１読取手段が、前記第１の情報を読み取った後に、当該第１の情報に応じて、前記第２の情報の読み取りに係る処理を実行する処理手段とを備える
ことを特徴とする認証システム。
【発明の詳細な説明】
【技術分野】
【０００１】
本発明は、非接触ＩＣカードに代表される認証媒体から識別情報を読み取る読取装置に関する。
【背景技術】
【０００２】
従来から、非接触ＩＣカードを利用した認証システムがある。非接触ＩＣカードは、非接触ＩＣカードが有する識別情報を読み取る読取装置（カードリーダ）から無線による電力の供給並びに識別情報を要求する要求信号（質問信号ともいう）を受けて、保持している識別情報を送信する。
この認証システムでは、例えば、ユーザがセキュリティエリアの扉脇に設置された読取装置（カードリーダ）に非接触ＩＣカードをかざすと読取装置が非接触ＩＣカードの識別情報を読み取り、読み取った識別情報が読取装置に予め記憶されている識別情報群に含まれていた場合に、扉に設けられている電気錠を解錠するといった運用がなされる。
【０００３】
このような認証システムにおいては、非接触ＩＣカードは読取装置から無線によって供給される電力しか識別情報の送信に用いることができないため、その送信出力では近接通信しかできない。この近接通信しかできないという制約により、ユーザが読取装置に非接触ＩＣカードをかざさなければならなくなることから、誰がセキュリティエリアに入ろうとしているのかが周囲から認識されやすくなるため、セキュリティが十分確保されることになる。
【０００４】
一方で、その近接無線しかできないシステムにおいては、高度のセキュリティ保護が要求されないセキュリティエリアにおいては、ユーザはいちいち読取装置のそばまで行って読取装置に非接触ＩＣカードをかざすという行動を起こさなくてはいけないため、その運用においてユーザの利便性を欠くという面も有している。
そこで、高度のセキュリティ保護が要求されないセキュリティエリアのユーザの出入りを管理する目的で、電池を内蔵して、読取装置からの識別情報を要求する要求信号を受けて識別情報を含む応答信号をより遠くまで飛ばせる認証媒体（タグ）と当該タグが保持する識別情報を読み取る読取装置（タグリーダ）とを含む認証システムも開発されている。
【０００５】
特許文献１には、そのようなタグリーダ及びタグが開示されている。
【先行技術文献】
【特許文献】
【０００６】
【特許文献１】特開２００８−１７７７７５号公報
【発明の概要】
【発明が解決しようとする課題】
【０００７】
ところで、上述のような認証システムでは、ユーザのセキュリティエリアへの出入りがいつ行われたのかのログをとるといった管理サービスが行われているが、ユーザにとって更に利便性の高いサービスが求められている。
そこで、本発明においては、読取装置において、従来よりも認証のサービスが充実した読取装置及び当該読取装置を含む認証システムを提供することを目的とする。
【課題を解決するための手段】
【０００８】
上記課題を解決するため、本発明に係る読取装置は、第１の情報を保持し当該第１の情報をＨＦ帯で送信する非接触ＩＣカード及び第２の情報を保持し当該第２の情報をＵＨＦ帯で送信する複数のアクティブタグと通信する読取装置であって、前記第１の情報を読み取る第１読取手段と、前記第２の情報を読み取る第２読取手段と、前記第１読取手段が、前記第１の情報を読み取った後に、当該第１の情報に応じて、前記第２の情報の読み取りに係る処理を実行する処理手段とを備えることを特徴としている。
【０００９】
また、本発明に係る認証システムは、アクティブタグと、非接触ＩＣカードと、読取装置を含んで構成される認証システムであって、前記非接触ＩＣカードは、第１の情報を保持するメモリと、前記読取装置から前記第２の情報を要求する第２要求信号を受信した場合にＵＨＦ帯で前記第１の情報を含む応答信号を送信する送信手段とを備え、前記アクティブタグは、第２の情報を保持するメモリと、前記読取装置から前記第１の情報を要求する第１要求信号を受信した場合にＵＨＦ帯で前記第２の情報を含む応答信号を送信する送信手段とを備え、前記読取装置は、前記第１の情報を読み取る第１読取手段と、前記第２の情報を読み取る第２読取手段と、前記第１読取手段が、前記第１の情報を読み取った後に、当該第１の情報に応じて、前記第２の情報の読み取りに係る処理を実行する処理手段とを備えることを特徴としている。
【発明の効果】
【００１０】
上述のような構成によって、第１の情報の読み取り後に、第２の情報の読み取りに係る処理を実行することなるので、その組み合わせにより、従来よりも多彩な処理を実行できるようになる。例えば、第１の情報に、第２の情報に関する情報、例えば読み取られるべき第２の情報の個数に係る情報を含ませることで、読み取られるべき第２の情報が読み取られたかどうかをユーザに通知するといったサービスを実現できる。
【００１１】
また、前記第１読取手段は、前記非接触ＩＣカードに対して第１の情報を要求する第１要求信号を送信し、当該第１要求信号を受けた非接触ＩＣカードから送信されてくる第１の情報を受信することで前記読み取りを実行し、前記第２読取手段は、前記アクティブタグに対して第２の情報を要求する第２要求信号を送信し、当該第２要求信号を受けたアクティブタグから送信されてくる第２の情報を受信することで前記読み取りを実行し、前記処理手段は、前記第１読取手段が前記第１の情報を読み取ったことを契機として、前記第２読取手段に前記第２要求信号の送信を開始させることとしてもよい。
【００１２】
これにより、読取装置は、第１の情報を読み取ってから、第２の情報を読み取るための要求信号の送信を開始するので、例えば、第１の情報を読み取っていない間は、第２の情報の読み取りに係る第２読取手段を停止状態にすることで省電力を図ることができる。
また、前記処理手段は、前記第１読取手段が前記第１の情報を読み取ってから再度前記第１の情報を読み取った場合に、前記第２読取手段に前記第２要求信号の送信を終了させることとしてもよい。
【００１３】
これにより、第２の情報の読み取りを第１の情報を読み取ってから再度第１の情報を読み取るまでの間に限定することができる。言いかえれば、アクティブタグを使用できるタイミングをユーザの任意のタイミングに制限することができる。
また、前記処理手段は、前記第１読取手段が前記第１の情報を読み取ったときから、前記第２読取手段が読み取る第２の情報の個数を計数することとしてもよい。
【００１４】
また、前記第１の情報は、読み取られるべき第２の情報の個数を示す個数情報を含み、前記処理手段は、前記第２読取手段が読み取った第２の情報の個数が前記個数情報で示される個数に一致するか否かを判定し、前記読取装置は、前記処理手段における判定の結果を通知する通知手段を備えるととしてもよい。
これにより、読取装置は、第１の情報を読み取ってから、読み取った第２の情報の個数を計数することができる。よって、従来であれば、単に誰が認証を行ったかどうか程度を認識することができたのに対し、こうして第２の情報の個数を計数することで、いくつのアクティブタグを認証したのかをユーザが容易に認識することができる。
【００１５】
また、前記第２の情報は、第２種の記憶媒体それぞれに固有の識別情報であり、前記第１の情報は、読み取られるべき第２の情報で示される識別情報を含み、前記処理手段は、前記第２読取手段が読み取った第２の情報で示される識別情報が、前記第１の情報に含まれる識別情報に一致するか否かを判定し、前記読取装置は、前記処理手段における判定の結果を通知する通知手段を備えることとしてもよい。
【００１６】
また、前記第１の情報は読み取られるべき第２の情報で示される識別情報を複数含み、前記処理手段は、前記第１の情報に含まれる複数の識別情報で示される第２の情報の中に、前記第２読取手段に読み取られていない第２の情報で示される識別情報があった場合に、読み取られていない第２の情報を前記通知手段に通知させることとしてもよい。
これにより、ユーザは、ユーザが保持する非接触ＩＣカードが保持する第１の情報を読取装置に読み取らせた後で、ユーザの望むアクティブタグの認証が行われたかどうかを容易に認識することができる。
【００１７】
また、前記処理手段は、前記第１読取手段が前記第１の情報を読み取ったときから、所定時間が経過した場合に、前記第２読取手段に前記第２の情報の読み取りを終了させることとしてもよい。
これにより、１回の非接触ＩＣカードの第１の情報の読み取りだけで、アクティブタグの第２の情報の読み取りを開始するとともに、予め定めておいた時間内にアクティブタグの第２の情報の読み取りを制限することができる。つまり、ユーザが２回も非接触ＩＣカードを読取装置にかざさなくとも、アクティブタグからの第２の情報の読み取りを予め定めた時間内にのみ制限することができる。これは、２回非接触ＩＣカードを読取装置にかざすと言うユーザの手間を軽減することにつながる。
【図面の簡単な説明】
【００１８】
【図１】認証システムのシステム構成を示したシステム図である。
【図２】ハイブリッドリーダの機能構成を示した機能ブロック図である。
【図３】タグの機能構成を示した機能ブロック図である。
【図４】非接触ＩＣカードの機能構成を示した機能ブロック図である。
【図５】ハイブリッドリーダが保持する認証情報のデータ構成を示す図である。
【図６】ハイブリッドリーダ及び上位装置が保持する認証履歴情報のデータ構成を示す図である。
【図７】実施の形態１に係る非接触ＩＣカードが保持する情報を示す図である。
【図８】実施の形態１に係る本認証システムの動作を示したフローチャートである。
【図９】実施の形態１に係るハイブリッドリーダの動作を示したフローチャートである。
【図１０】実施の形態２に係る非接触ＩＣカードが保持する識別情報のデータ構成を示す図である。
【図１１】実施の形態２に係るハイブリッドリーダの動作を示すフローチャートである。
【図１２】非接触ＩＣカードが保持する識別情報の別データ構成例を示す図である。
【発明を実施するための形態】
【００１９】
＜実施の形態１＞
＜構成＞
以下、本発明の一実施形態である読取装置及び読取装置が用いられる認証システムについて図面を用いて説明する。なお、以下、「読取装置」を、非接触ＩＣカードとタグの両方を認証するものであるので、「ハイブリッドリーダ」と呼称する。
＜構成＞
図１は、認証システムのシステム構成を示すシステム図である。
【００２０】
図１に示すように認証システムは、ハイブリッドリーダ１００と、アクティブタグ１１０（タグ１１０ａ、タグ１１０ｂ、タグ１１０ｃ）と、非接触ＩＣカード１２０と、上位装置１３０とを含んで構成される。
ここで、認証システムにおける各装置の通常の認証における動作について簡単に説明しておく。ハイブリッドリーダ１００は、認証媒体（タグ１１０もしくは非接触ＩＣカード１２０）に対して識別情報を要求する要求信号を送信している。認証媒体は、要求信号を受けると、自身で保持する識別情報を含む応答信号をハイブリッドリーダ１００に送信する。するとハイブリッドリーダ１００は、自装置で記憶している識別情報群の中に応答信号に含まれていた識別情報があった場合にゲート１４０をユーザが通過したものとして認識し、認証を行ったことを示す履歴情報を上位装置１３０に送信し、上位装置１３０は送信されてきた履歴情報を記録保存する。
【００２１】
では、ここから図１に示す認証システムに係る各装置について詳細に説明していく。
＜ハイブリッドリーダ１００の構成＞
まず、図２を用いてハイブリッドリーダ１００を説明する。
図２は、ハイブリッドリーダ１００の機能構成を示した機能ブロック図である。図２に示すようにハイブリッドリーダ１００は、Ｉ/Ｆ（InterFace）部２１０と、操作部２２０と、通知部２３０と、ＬＦ（Low Frequency）帯送受信器２４０と、ＵＨＦ（Ultra High Frequency)帯受信器２５０と、ＨＦ(High Frequency)帯送受信器２６０と記憶部２７０と、ＣＰＵ（Central Processing Unit）２８０とを含んで構成される。
【００２２】
Ｉ/Ｆ部２１０は、上位装置１３０と予め定められた通信規格（例えばＲＳ−４８５規格）に従って通信を実行する機能を有する。より具体的には、Ｉ/Ｆ部２１０は、上位装置１３０から送信されてくる信号をＣＰＵ２８０に伝達する機能と、ＣＰＵ２８０から伝達されてきた履歴情報を上位装置１３０に送信したり、ＣＰＵ２８０から伝達されてきた電気錠１５０に対する施解錠の指示信号を上位装置１３０に送信する機能を有する。
【００２３】
操作部２２０は、ハイブリッドリーダ１００の化粧パネルに設けられた操作ボタンを含み、当該操作ボタンに対するユーザからの入力に基づいて、ＬＦ帯送受信器２４０に対して、通信方式の切り替えを指示する機能を有する。
通知部２３０は、ハイブリッドリーダ１００の化粧パネルに備えられたＬＥＤあるいはＬＣＤ（Liquid Crystal Display）を用いてハイブリッドリーダ１００におけるエラーの発生等の状態の通知や、認証に係る情報をユーザに通知する機能を有する。
【００２４】
ＬＦ帯送受信器２４０は、アクティブタグ１１０と通信を実行するものであり、ＣＰＵ２８０から伝達されたアクティブタグ１１０の識別情報を要求する要求信号を変調して、ＬＦ帯（１３５kHz帯）でＬＦアンテナ２４１を介して送信する機能と、ＬＦ帯で送信されてきた信号を受信してＣＰＵ２８０に伝達する機能とを有する。
ＵＨＦ帯受信器２５０は、アクティブタグ１１０からの信号をＵＨＦ帯（４００MHz帯）でＵＨＦアンテナ２５１を介して受信し、受信した信号を復調してＣＰＵ２８０に伝達する機能を有する。
【００２５】
ＨＦ帯送受信器２６０は、非接触ＩＣカード１２０と通信を実行するものであり、ＣＰＵ２８０から伝達された非接触ＩＣカード１２０の識別情報を要求する要求信号を変調して、ＨＦ帯（１３．５６MHz帯）でＨＦアンテナ２６１を介して送信する機能と、ＨＦ帯で送信されてきた信号を受信してＣＰＵ２８０に伝達する機能とを有する。
記憶部２７０は、HDD（Hard Disc Drive）、メモリ等を含んで構成され、ハイブリッドリーダ１００が動作上必要とする各種データ、プログラムを記憶する機能を有する。また、記憶部２７０は、認証の際に参照するアクティブタグや非接触ＩＣカードの識別情報群である認証情報２７１を記憶している。
【００２６】
ＣＰＵ２８０は、記憶部２７０に記憶されているプログラムを実行することによりハイブリッドリーダ１００の各部を制御する機能を有する。ＣＰＵ２８０は、ＨＦ帯送受信器２６０からＨＦ帯送受信器２６０が読み取った非接触ＩＣカードの識別情報を伝達されて認証情報２７１を用いて認証を行う機能を有する。
また、ＣＰＵ２８０は以下の機能も有する。ＣＰＵ２８０は、ＨＦ帯送受信器２６０が読み取った非接触ＩＣカードの識別情報に個数情報が付加されているか否かを判定し、付加されていた場合にＬＦ帯送受信器２４０に対して要求信号の送信の開始を指示する。応答信号は、予め定められたデータ形式に従って送信されるものであり、個数情報が付加されているかどうかは、予め定められている箇所にあるデータが「０」であるか否かによって判定する。
【００２７】
また、ＣＰＵ２８０は、再度ＨＦ帯送受信器２６０から伝達されてきた非接触ＩＣカードの識別情報が伝達されてきた場合に、ＬＦ帯送受信器２４０に対して要求信号の送信の停止を指示する。そして、ＣＰＵ２８０は、その間にＬＦ帯送受信器２４０から送信されてくるアクティブタグの識別情報の個数を計数する機能と、計数したアクティブタグの識別情報の個数が非接触ＩＣカードの識別情報に付加されていた個数情報に一致するか否かを判定し、一致しなかった場合にエラー通知を実行する機能を有する。
＜アクティブタグ１１０の構成＞
次に、アクティブタブ１１０について、説明する。
【００２８】
図３は、アクティブタグ１１０の機能構成を示した機能ブロック図である。図３に示すようにアクティブタグ１１０は、ＬＦ帯送受信器３１０と、ＵＨＦ帯送信器３２０と、メモリ３３０と、ボタン３４０と、電池３５０と、ＣＰＵ３６０とを含んで構成される。
ＬＦ帯送受信器３１０は、ＬＦアンテナ３１１を介して、ハイブリッドリーダ１００からの要求信号を受信して、受信した要求信号を復調してＣＰＵ３６０に伝達する機能と、ＣＰＵ３６０から伝達されてきた応答信号を変調してＬＦアンテナ３１１を介して送信する機能とを有する。
【００２９】
ＵＨＦ帯送信器３２０は、ＣＰＵ３６０から伝達されてきた応答信号を変調してＵＨＦアンテナ３２１を介して送信する機能を有する。
メモリ３３０は、識別情報３３１を記憶する機能を有する。
ボタン３４０は、ユーザからの操作を受け付けるボタンであり、ユーザの押下を受け付けた場合に、その旨をＣＰＵ３６０に伝達する機能を有する。
【００３０】
電池３５０は、ＵＨＦ帯で応答信号を送信するための電力をＵＨＦ帯送信器３２０とＣＰＵ３６０及びＬＦ送受信器３１０に供給する機能を有する。
ＣＰＵ３６０は、アクティブタグ１１０の各部を制御する機能を有する。ＣＰＵ３６０は、ＬＦ帯送受信器３１０から伝達されてきた要求信号に応じて、メモリ３３０から識別情報３３１を読み出し、応答信号としてＵＨＦ帯送信器３２０に伝達する機能を有する。。また、ハイブリッドリーダ１００からの要求信号を受信した時のみボタン３４０の押下による応答信号をＵＨＦ帯送信器３２０に送信させる機能を有する。
＜非接触ＩＣカード１２０の構成＞
次に、非接触ＩＣカード１２０について説明する。
【００３１】
非接触ＩＣカード１２０は、ＨＦ帯送受信器４１０と、メモリ４２０と、ＣＰＵ４３０とを含んで構成される。
ＨＦ帯送受信器４１０は、ＨＦアンテナ４１１を介してハイブリッドリーダ１００からの要求信号を受信して、受信した信号を復調してＣＰＵ４３０に伝達する機能を有する。また、ＨＦ帯送受信器４１０は、ＣＰＵ４３０から伝達されてきた応答信号を変調してＨＦアンテナ４１１を介してＨＦ帯で送信する機能を有する。
【００３２】
メモリ４２０は、識別情報４２１を記憶する機能を有する。
ＣＰＵ４３０は、非接触ＩＣカード１２０の各部を制御する機能を有する。ＣＰＵ４３０は、ＨＦ帯送受信器４１０から伝達されてきた要求信号に応じて、メモリ４２０から識別情報４２１を読み出し、応答信号としてＨＦ帯送信器４２０に伝達する機能を有する。
＜上位装置１３０＞
なお、上位装置１３０について、簡単に説明しておくと、上位装置１３０は、ハイブリッドリーダ１００で行われてた認証等に係る履歴を保持する装置であり、複数のハイブリッドリーダが接続されていた場合には、各ハイブリッドリーダにおける履歴を保持、管理するものである。上位装置１３０は、ハイブリッドリーダ１００にハイブリッドリーダ１００が保持する認証情報２７１に新たな識別情報の追加を指示したり、認証情報２７１に記録されている識別情報を削除を指示したりする機能と、ハイブリッドリーダ１００から送信される認証履歴情報を記録保持する機能を有する。また、上位装置１３０は、ハイブリッドリーダ１００からの施解錠に関する信号を受けて、電気錠１５０の施解錠を実行する機能も有する。
＜データ＞
ここから、認証情報２７１について説明する。
【００３３】
認証情報２７１は、ハイブリッドリーダ１００が認証を行うエリアについての誰の入退室を許可するのかの権限を示すものである。
図５は、認証情報２７１のデータ概念図である。
図５に示すように、認証情報２７１は、管理No.５０１に、識別情報５０２と、ユーザ名５０３とを対応付けた情報群である。
【００３４】
管理No.５０１は、ハイブリッドリーダ１００が各認証情報を管理するために便宜上付した管理番号である。
識別情報５０２は、アクティブタグ、非接触ＩＣカードに固有の識別情報である。当該識別情報の先頭２文字分（ここでは文字列形式で２文字分）のデータで、アクティブタグと非接触ＩＣカードの分別がなされる。即ち、アクティブタグの場合には識別情報は、「ＩＤ」からはじまり、非接触ＩＣカードの場合には識別情報は、「ＩＣ」からはじまる。
【００３５】
ユーザ名５０３は、アクティブタグ、非接触ＩＣカードを保持するユーザの名前である。
例えば、管理No.「10687」に対応する非接触ＩＣカードの識別情報は、「IC00006898」であり、その非接触ＩＣカードを保持するユーザの名前は、「佐藤加奈」となっている。
認証情報２７１へのデータの追加や削除は、上位装置１３０から行われる。
【００３６】
図６は、ハイブリッドリーダ１００及び上位装置１３０が保持する認証の履歴を示す認証履歴６００のデータ概念図である。当該認証履歴６００は、ハイブリッドリーダ１００及び上位装置１３０に保持される。ハイブリッドリーダ１００には所定数（例えば２万件）の、上位装置１３０には全ての認証や解錠等のイベントにかかる履歴が残される。
図６に示すように、認証履歴６００は、管理No.６０１に識別情報６０２と、ユーザ名６０３と、場所６０４と、日時６０５と、イベント６０６とを対応付けた情報である。
管理No.６０１は、ハイブリッドリーダ１００あるいは上位装置１３０が各認証情報を管理するために便宜上付した管理番号である。
【００３７】
識別情報６０２は、認証に使用されたアクティブタグもしくは非接触ＩＣカードに固有の識別情報である。
ユーザ名６０３は、認証に使用されたアクティブタグもしくは非接触ＩＣカードを保持するユーザの名前である。
場所６０４は、イベント、例えば認証の実行、鍵のこじ開けや電池電圧の低下など、が発生したエリアあるいは認証装置の情報である。
【００３８】
日時６０５は、イベントが発生した日時の情報である。
イベント６０６は、発生したイベントの内容を示す情報である。
例えば、管理No.「087882」に対応する識別情報は、「IC00006897」であり、そのヘッダ部分で認証媒体が非接触ＩＣカードであり、当該非接触ＩＣカードを保持するユーザの名前は、「青井紀子」であり、認証が行われた場所は、「エリアＡ」であり、認証を行った日時は、「２００８年１１月１２日  １２時１３分」であり、イベント内容によれば、青井紀子は、エリアＡから「退室」したこととなっている。なお、発生したイベントが認証に関わるものでない場合には、識別情報６０２やユーザ名６０３に該当するデータはないことになる。図６では、「−」と記載している。
【００３９】
最後に、非接触ＩＣカード１２０が保持し、ハイブリッドリーダ１００に伝達する応答信号に含まれる情報について説明する。
図７に示すように非接触ＩＣカードは、自身の識別情報（図７では「IC00006897」）と、非接触ＩＣカードの認証が行われた後に、認証が行われるべきアクティブタグの認証情報の個数を示す個数情報（図７では「８」個）とを記憶しており、非接触ＩＣカード１２０がハイブリッドリーダ１００にかざされるとハイブリッドリーダ１００によって読み取られる。
＜動作＞
次に、本実施の形態の動作を説明する。まず、認証システムの各装置間のやり取りを示すフローチャートを図８を用いて説明する。
【００４０】
ハイブリッドリーダ１００は、ＨＦ帯で要求信号を送信しており（ステップＳ８０１）、非接触ＩＣカード１２０は、当該要求信号を受けると、自身の識別情報と、個数情報とを含む応答信号をハイブリッドリーダ１００に送信する（ステップＳ８０２）。
非接触ＩＣカードからの応答信号を受けるとハイブリッドリーダ１００は、ＬＦ帯で要求信号を送信を開始する（ステップＳ８０３）。要求信号を受けたタグ１１０ａは、ＵＨＦ帯でタグ１１０ａの識別情報を含む応答信号をハイブリッドリーダ１１０に送信する（ステップＳ８０４）。
【００４１】
タグ１１０ａからの応答信号を受けるとハイブリッドリーダ１００は、ＬＦ帯で要求信号を送信する（ステップＳ８０５）。要求信号を受けたタグ１１０ｂは、ＵＨＦ帯でタグ１１０ｂの識別情報を含む応答信号をハイブリッドリーダ１１０に送信する（ステップＳ８０６）。
タグ１１０ｂからの応答信号を受けるとハイブリッドリーダ１００は、ＨＦ帯で要求信号を送信する（ステップＳ８０７）。要求信号を受けたタグ１１０ｎは、ＵＨＦ帯でタグ１１０ｎの識別情報を含む応答信号をハイブリッドリーダ１１０に送信する（ステップＳ８０８）。
【００４２】
ハイブリッドリーダ１００は、ＨＦ帯で要求信号を送信しており（ステップＳ８０９）、非接触ＩＣカード１２０は、当該要求信号を受けると、自身の識別情報と、個数情報とを含む応答信号をハイブリッドリーダ１００に送信する（ステップＳ８１０）。
ハイブリッドリーダ１００は、非接触ＩＣカードから２度目の識別情報を含む応答信号を受信すると、アクティブタグに対する要求信号の送信を停止し、受信したアクティブタグからの応答信号の個数、即ち識別情報の個数を計数する。そして、ハイブリッドリーダ１００は、計数した識別情報の個数とステップＳ８０２において非接触ＩＣカード１２０から取得した個数情報で示される個数とが一致するか否かを判定し、一致した場合には正常に認証されたことを通知し、一致しなかった場合にはエラー通知などを行う（ステップＳ８１１）。
【００４３】
以上が、実施の形態１に係る認証システムの動作であるが、この動作を実現するためのハイブリッドリーダ１００の動作について、図９に示すフローチャートを用いてより詳細に説明する。
ハイブリッドリーダ１００のＣＰＵ２８０は、ＨＦ帯送受信器２６０にＨＦ帯で非接触ＩＣカード１２０に対して識別情報を要求する要求信号を逐次送信している。当該要求信号に対する応答である応答信号をＨＦ帯送受信器２６０が受信することで、非接触ＩＣカード１２０の識別情報の読み取りを実行する（ステップＳ９０１）。
【００４４】
ＣＰＵ２８０は、ＨＦ帯送受信器２６０から伝達されてきた応答信号に個数情報が付加されているかを判定する（ステップＳ９０２）。個数情報が付加されていない場合には（ステップＳ９０２のＮＯ）、通常の認証処理を実行して（ステップＳ９０８）、処理を終了する。なお、通常の認証処理とは、応答信号に含まれる識別情報が、ハイブリッドリーダ１００が予め保持している認証情報２７１に含まれているかの認証を行ない、当該認証に係る情報である認証履歴を記録することをいう。
【００４５】
応答信号に個数情報が含まれていた場合には（ステップＳ９０２のＹＥＳ）、ＣＰＵ２８０は、ＬＦ帯送受信器２４０にＬＦ帯でのアクティブタグの識別情報を要求する要求信号の送信を開始させる。そして、ＣＰＵ２８０は、ＵＨＦ帯受信器２５０から伝達されてくるアクティブタグの識別情報の個数を計数する（ステップＳ９０３）。
ＬＦ帯送受信器２４０がアクティブタグの識別情報を読み取っている間も、ＨＦ帯送受信器２６０は、非接触ＩＣカードに対する要求信号をＨＦ帯で送信し続けており、ＨＦ帯送受信器２６０から前回読み取った非接触ＩＣカードの識別情報と一致する識別情報を含む応答信号がＣＰＵ２８０に伝達されない限りは（ステップＳ９０４のＮＯ）、ＬＦ帯送受信器２４０は要求信号を送信し続け、ＣＰＵ２８０はＵＨＦ帯受信器２５０から識別情報を含む応答信号が伝達されたら、今まで計数していた識別情報の個数に１加算する。
【００４６】
一方、ＨＦ帯送受信器２６０から応答信号が伝達されて、当該応答信号に含まれる識別情報が、前回ＨＦ帯受信器２６０から伝達されてきた応答信号に含まれていた識別情報と同一の識別情報を含んでいた場合に（ステップＳ９０４のＹＥＳ）、ＣＰＵ２８０は、ここまで計数した識別情報の個数と、個数情報で示される個数と一致するか否かを判定する（ステップＳ９０５）。
【００４７】
計数した識別情報の個数と、個数情報で示される個数とが一致した場合には（ステップＳ９０５のＹＥＳ）、ハイブリッドリーダ１００の化粧パネルに供えられたＬＥＤを例えば緑色に点灯させるなどして異常なしであることをユーザに通知して（ステップＳ９０６）処理を終了する。
計数した識別情報の個数と、個数情報で示される個数とが一致しなかった場合には（ステップＳ９０５のＮＯ）、ハイブリッドリーダ１００の化粧パネルに供えられたＬＥＤを例えば赤色に点灯させるなどして個数が一致しなかったことをユーザに通知して（ステップＳ９０７）処理を終了する。
【００４８】
以上が、ハイブリッドリーダ１００の動作である。
この動作を行うことにより、例えば、ツアーなどにおいて、非接触ＩＣカードを案内人が使用し、アクティブタグを見物人に持たせることで、見物人が全員揃っているか否かを容易に確認したりすることができる。
＜実施の形態２＞
上記実施の形態１においては、アクティブタグに対する要求信号を送信するのは、非接触ＩＣカードの識別情報の読み取りを行ってから、もう一度同じ非接ＩＣカードの識別情報を読み取るまでの間とし、その間に読み取った識別情報の個数を計数することとした。実施の形態２においては、アクティブタグの認証処理に関する別の手法を開示する。
＜構成＞
ハイブリッドリーダ１００のＣＰＵ２８０は、非接触ＩＣカードからの応答信号にタグ識別情報が付加されていた場合には、非接触ＩＣカードの識別情報を読み取ってから、アクティブタグに対する要求信号をＬＦ帯送受信器２４０にＬＦ帯で要求信号を送信させる。そして、ＣＰＵ２８０は、ＬＦ帯で送信した要求信号に対する応答であるアクティブタグからの応答信号に含まれる識別情報と、非接触ＩＣカードから受け取ったタグ識別情報とが一致するか否かを判定する。一致しない場合には、エラー通知を行ない、２回の非接触ＩＣカードの識別情報の読み取りの間に読み取ったタグ識別情報が、非接触ＩＣカードから受け取ったタグ識別情報と過不足なく一致した場合に、全て揃っている旨を示す通知を行う。
＜データ＞
実施の形態２における非接触ＩＣカード１２０が保持し、ハイブリッドリーダ１００に送信する応答信号に含まれる情報について図１０を用いて説明する。
【００４９】
応答信号情報１０００は、識別情報１００１と、タグ識別情報１００２と、備考１００３とを対応付けられている情報である。
識別情報１００１は、非接触ＩＣカード１２０の識別情報である。
タグ識別情報１００２は、非接触ＩＣカード１２０に後続して認証されるべきアクティブタグの識別情報を示す情報である。
【００５０】
備考１００３は、タグ識別情報１００２に対応するアクティブタグを保持するユーザの名前などの情報である。
＜動作＞
ここから実施の形態２に係るハイブリッドリーダ１００の動作を図１１を用いて説明する。
【００５１】
ハイブリッドリーダ１００のＣＰＵ２８０は、ＨＦ帯送受信器２６０にＨＦ帯で非接触ＩＣカード１２０に対して識別情報を要求する要求信号を逐次送信している。当該要求信号に対する応答である応答信号をＨＦ帯送受信器２６０が受信することで、非接触ＩＣカード１２０の識別情報の読み取りを実行する（ステップＳ１１０１）。
ＣＰＵ２８０は、ＨＦ帯送受信器２６０から伝達されてきた応答信号にタグ識別情報が付加されているかを判定する（ステップＳ１１０２）。タグ識別情報が付加されていない場合には（ステップＳ１１０２のＮＯ）、通常の認証処理を実行して（ステップＳ１１０８）、処理を終了する。なお、通常の認証処理とは、応答信号に含まれる識別情報が、ハイブリッドリーダ１００が予め保持している認証情報２７１に含まれているかの認証を行ない、当該認証に係る情報である認証履歴を記録することをいう。
【００５２】
応答信号にタグ識別情報が含まれていた場合には（ステップＳ１１０２のＹＥＳ）、ＣＰＵ２８０は、ＬＦ帯送受信器２４０にＬＦ帯でのアクティブタグの識別情報を要求する要求信号を送信を開始させる。そして、ＣＰＵ２８０は、ＵＨＦ帯受信器２５０から伝達されてくるアクティブタグの識別情報がタグ識別情報で示される識別情報に一致するか否かを判定する（ステップＳ１１０３）。
【００５３】
ＵＨＦ帯受信器２５０がアクティブタグの識別情報を読み取っている間も、ＨＦ帯送受信器２６０は、非接触ＩＣカードに対する要求信号をＨＦ帯で送信し続けており、ＨＦ帯送受信器２６０から前回読み取った非接触ＩＣカードの識別情報と一致する識別情報を含む応答信号がＣＰＵ２８０に伝達されない限りは（ステップＳ１１０４のＮＯ）、ＬＦ帯送受信器２４０は要求信号を送信し続け、ＣＰＵ２８０はＵＨＦ帯受信器２５０から識別情報を含む応答信号が伝達されたら、タグ識別情報で示される識別情報と一致するかをチェックし、一致した場合には、当該識別情報について一致したことを示す情報を記録する。
【００５４】
一方、ＨＦ帯送受信器２６０から応答信号が伝達されて、当該応答信号に含まれる識別情報が、前回ＨＦ帯送受信器２６０から伝達されてきた応答信号に含まれていた識別情報と同一の識別情報を含んでいた場合に（ステップＳ１１０４のＹＥＳ）、ＣＰＵ２８０は、ここまで記録したタグ識別情報で示される各識別情報が一致したことを示すか否かを判定する（ステップＳ１１０５）。
【００５５】
タグ識別情報で示される全ての識別情報と、送信されてきた応答信号に含まれる識別情報とが一致した場合には（ステップＳ１１０５のＹＥＳ）、ハイブリッドリーダ１００の化粧パネルに供えられたＬＥＤを例えば緑色に点灯させるなどして、異常なし、即ち、全ての識別情報が読み取られていることをユーザに通知して（ステップＳ１１０６）処理を終了する。
【００５６】
全てのタグ識別情報で示される識別情報と、送信されてきた応答信号に含まれる識別情報とが一つでも一致しなかった、あるいはタグ識別情報で示される識別情報に読み取られていない識別情報があった場合には（ステップＳ１１０５のＮＯ）、ハイブリッドリーダ１００の化粧パネルに供えられたＬＥＤを例えば赤色に点灯させるなどしてタグ識別情報が一致しなかったことをユーザに通知する（ステップＳ１１０７）。また、この際にＬＣＤなどを用いて、読み取られていない識別情報について、タグ識別情報で示される備考の情報を表示する。
【００５７】
以上が、ハイブリッドリーダ１００の動作である。
この動作を行うことにより、例えば、非接触ＩＣカードを保持する案内人がアクティブタグを保持する見学者を案内する際に、ハイブリッドリーダ１００がアクティブタグの認証を行い、読み取るべきアクティブタグの識別情報が読み取れていない場合に、どのアクティブタグの認証が行われていないかを通知することによって、案内人は、見学者が揃っていないことを容易に認識することができる。
【００５８】
その他にも、例えば、アクティブタグを各持ち物につけることで、持ち物検査などに利用したりすることができる。即ち、予め持って行くべきものに対応するアクティブタグの識別情報を非接触ＩＣカードが送信する応答信号に、自身のアクティブタグとともに含ませ、ハイブリッドリーダが応答信号に含まれるアクティブタグの識別情報が揃っているかどうかを検出し、認証できなかった識別情報に対応する持ち物をＬＣＤに表示することでユーザに忘れ物を認識させたりすることができる。
＜補足＞
上記実施の形態において、本発明の実施の手法について説明してきたが、本発明の実施形態がこれに限られないことは勿論である。以下、上記実施形態以外に本発明として含まれる各種の変形例について説明する。
（１）ＣＰＵ２８０は、ＨＦ帯送受信器２６０からＨＦ帯送受信器２６０が読み取った非接触ＩＣカードの識別情報を伝達されて認証情報２７１を用いて認証を行う機能と、ＬＦ帯受信器２４０若しくはＵＨＦ帯受信器２５０から読み取ったアクティブタグの識別情報を伝達されて認証情報２７１を用いて認証を行う機能と有する。
（２）上記実施の形態１においては、応答信号に識別情報と個数情報が含まれている場合を説明し、上記実施の形態２においては、応答信号に識別情報とタグ識別情報が含まれている場合とを説明したが、これは、例えば図１２に示すように、その両方が含まれるようにし、個数が揃っているかどうかと、タグ識別情報とが揃っているかどうかを認識することとしてもよい。
【００５９】
この場合、個数が揃っていても、タグ識別情報が揃っていないことでエラーを検出したりすることができる。
（３）上記実施の形態１においては、非接触ＩＣカードの認証を行ってから、アクティブタグの認証を開始することとしたが、ハイブリッドリーダ１００は、アクティブタグの認証を常時実行してゲートの通過を管理していてもよく、個数情報を含む応答信号を受信したとき、あるいは、アクティブタグ自身の識別情報以外のタグ識別情報を含む応答信号を受信したときを契機として、上記の図９や図１１に示した処理を実行することとしてもよい。
（４）上記実施の形態においては、ハイブリッドリーダ１００は２回非接触ＩＣカードの識別情報を読み取る間にアクティブタグの識別情報を読み取ることとしたが、１回目の非接触ＩＣカードの識別情報を読み取ってから、所定時間（例えば、１０分）が経過する間だけアクティブタグを読み取ることとしてもよい。この場合、ハイブリッドリーダ１００には、当該所定時間の時間が記憶されている。当該時間は、例えば上位装置１３０などから設定できることとしてもよい。
（５）上記実施の形態においては、非接触ＩＣカードに読み取られるべきアクティブタグの情報を保持させ、非接触ＩＣカードが送信する応答信号に含ませることとしたが、読み取られるべきアクティブタグの個数を示す個数情報や、読み取られるべきアクティブタグを示すタグ識別情報は、予め、ハイブリッドリーダ１００に記憶されていることとしてもよいし、上位装置１３０から伝達されることとしてもよい。
（６）上記実施の形態１において、個数情報があるかどうか、あるいは実施の形態２においてはタグ識別情報があるかどうか、を所定のデータフォーマットにおいて、そこにデータがあるかいなか（「０」であるかいなか）によって行っていたが、これは、非接触ＩＣカードが送信する応答信号に、別途、個数情報が付加されていることを示すフラグや、タグ識別情報が付加されていることを示すフラグを設けることで判定することとしてもよい。
（７）上記実施の形態２において、非接触ＩＣカードが送信する情報の備考にはアクティブタグを保持するユーザ名を含むこととしたが、これはユーザ名に限られず、例えばアクティブタグが付けられている物品の名称などであってもよい。物品の名称にした場合には、例えば、忘れ物検査等に役立てることができる。
（８）上記実施の形態においてはハイブリッドリーダ１００が認証を行うこととしたが、認証は上位装置１３０が行うこととしてもよい。この場合ハイブリッドリーダ１００は、アクティブタグや、非接触ＩＣカードの識別情報を読み取ると、読み取った識別情報を上位装置１３０に伝達し、上位装置は保持している認証情報にハイブリッドリーダから伝達されてきた識別情報に一致する識別情報があるかを判定する。上位装置１３０は、肯定的な判定をした場合に電気錠１５０の解錠を実行し、否定的な判定をした場合には、ハイブリッドリーダ１００に認証失敗を示す信号を送信する。ハイブリッドリーダ１００は認証失敗を示す信号を受信した場合は、ＬＥＤを赤色に点灯させるなどして認証失敗をユーザに通知する。
【００６０】
また、ハイブリッドリーダ１００が認証を行う場合には、電気錠１５０の施開錠は上位装置１３０を介さずにハイブリッドリーダ１００が直接行うように構成してもよい。
（９）上記実施の形態で示したアクティブタグの認証に係る処理等（図９、図１１参照）を読取装置のプロセッサ、及びそのプロセッサに接続された各種回路に実行させるためのプログラムコードからなる制御プログラムを、記録媒体に記録すること、又は各種通信路等を介して流通させ頒布させることもできる。このような記録媒体には、ＩＣカード、ハードディスク、光ディスク、フレキシブルディスク、ＲＯＭ等がある。流通、頒布された制御プログラムはプロセッサに読み出され得るメモリ等に格納されることにより利用に供され、そのプロセッサがその制御プログラムを実行することにより、実施の形態で示したような各種機能が実現されるようになる。
【符号の説明】
【００６１】
１００  ハイブリッドリーダ（読取装置）
１１０  アクティブタグ
１２０  非接触ＩＣカード
１３０  上位装置
１４０  ゲート
１５０  電気錠
２１０  Ｉ/Ｆ部
２２０  操作部
２３０  通知部
２４０  ＬＦ帯送受信器
２４１  ＬＦアンテナ
２５０  ＵＨＦ受信器
２５１  ＵＨＦアンテナ
２６０  ＨＦ帯送受信器
２６１  ＨＦアンテナ
２７０  記憶部
２７１  認証情報
２８０  ＣＰＵ
３１０  ＬＦ帯送受信器
３１１  ＬＦアンテナ
３２０  ＵＨＦ送信器
３２１  ＵＨＦアンテナ
３３０  メモリ
３３１  識別情報
３４０  ボタン
３５０  電池
３６０  ＣＰＵ
４１０  ＨＦ送受信器
４１１  ＨＦアンテナ
４２０  メモリ
４２１  識別情報
４３０  ＣＰＵ
【図１】
2010199635.tif 000003
【図２】
2010199635.tif 000004
【図３】
2010199635.tif 000005
【図４】
2010199635.tif 000006
【図５】
2010199635.tif 000007
【図６】
2010199635.tif 000008
【図７】
2010199635.tif 000009
【図８】
2010199635.tif 000010
【図９】
2010199635.tif 000011
【図１０】
2010199635.tif 000012
【図１１】
2010199635.tif 000013
【図１２】
2010199635.tif 000014